(57)【要約】      （修正有）【課題】船舶へ海賊が侵入することを防止する効果を高めることができる、船舶への海賊侵入防止装置を提供する。【解決手段】船舶への海賊侵入防止装置１００は、船舶の船側周りである例えば船尾２に、船尾外板（船体外板）２ａに対して角度を成すように邪魔板３を備えるようにし、このような邪魔板３によって、ねずみ返しのように海賊を登り難くさせ、これにより、海賊が船舶へ侵入することを防止する効果をさらに高めるようにする。【選択図】図１
2014040203.tif 000002
【特許請求の範囲】
【請求項１】
船舶の船側周りに、船体外板に対して角度を成す邪魔板を備えたことを特徴とする船舶への海賊侵入防止装置。
【請求項２】
前記邪魔板を、船縁に沿う一軸を支点として上下方向に揺動させる駆動手段を備えたことを特徴とする請求項１記載の船舶への海賊侵入防止装置。
【請求項３】
前記邪魔板は、船尾に設けられていることを特徴とする請求項１又は２記載の船舶への海賊侵入防止装置。
【発明の詳細な説明】
【技術分野】
【０００１】
本発明は、船舶へ海賊が侵入することを防止する装置に関する。
【背景技術】
【０００２】
近年、ソマリア沖等では海賊事件が頻発し、その対策が苦慮されている。以下の特許文献１では、船舶の上甲板上のハンドレール支柱を常時は直立状態でロックし、海賊海域等にあってはロックを外しハンドレール支柱を傾動可能とすることで、海賊が、ロープに付けたアンカーを、ハンドレール支柱間に掛け渡された手摺りに引っ掛けて登って来ようとすると、手摺りと共にハンドレール支柱が傾動し、海賊が船舶へ侵入してくるのを妨害する技術が開示されている。
【先行技術文献】
【特許文献】
【０００３】
【特許文献１】特開２００７−２６１３５５号公報
【発明の概要】
【発明が解決しようとする課題】
【０００４】
このように海賊の船舶への侵入を妨害する技術の開示は一応あるが、海賊侵入防止効果が一層高い装置の開発が求められている。
【０００５】
本発明は、このような課題を解決するために成されたものであり、船舶への海賊の侵入防止効果が高い海賊侵入防止装置を提供することを目的とする。
【課題を解決するための手段】
【０００６】
本発明による船舶への海賊侵入防止装置は、船舶の船側周りに、船体外板に対して角度を成す邪魔板を備えたことを特徴としている。
【０００７】
このような船舶への海賊侵入防止装置によれば、邪魔板が、船舶の船側周りに船体外板に対して角度を成して設けられているため、当該邪魔板により、ねずみ返しのように海賊が登り難くされ、侵入防止効果を高めることができる。
【０００８】
ここで、邪魔板を、船縁に沿う一軸を支点として上下方向に揺動させる駆動手段を備えていると、邪魔板が駆動手段により上下方向にパタパタと揺動し、海賊の視覚に訴え襲撃を躊躇させ得るのに加えて、海賊が一層登り難くされると共に登って来ようとする海賊を振り落とすことができ、侵入防止効果を一層高めることができる。
【０００９】
また、海賊は船舶の後方より忍び寄り船尾から登って来ることが多いため、邪魔板は船尾に設けられているのが効果的である。
【発明の効果】
【００１０】
このような本発明によれば、船舶への海賊の侵入防止効果を高めることができる。
【図面の簡単な説明】
【００１１】
【図１】本発明の実施形態に係る船舶への海賊侵入防止装置を示す斜視図である。
【図２】図１に示す海賊侵入防止装置の側面図である。
【図３】図１及び図２に示す海賊侵入防止装置の動作説明図である。
【発明を実施するための形態】
【００１２】
以下、本発明による船舶への海賊侵入防止装置の好適な実施形態について図面を参照しながら説明する。図１は、本発明の実施形態に係る船舶への海賊侵入防止装置を示す斜視図、図２は、海賊侵入防止装置の側面図、図３は、海賊侵入防止装置の動作説明図である。
【００１３】
本実施形態の船舶への海賊侵入防止装置１００は、海賊が海上から船上へ登って来るのを阻止することにより海賊の侵入防止を図るものであり、船舶の船側周りに設けられ、ここでは、図１及び図２に示すように、船体１の船尾２に設けられている。
【００１４】
この海賊侵入防止装置１００は概略、邪魔板３と、この邪魔板３を駆動するための駆動手段４と、を備える。
【００１５】
邪魔板３は平板に構成され、その基端側（図１の上甲板５側、図２の右端側）が、船体１の上縁部である船縁、ここでは、船尾２の船縁２ｂに沿って広範囲に亘って設けられている。
【００１６】
この邪魔板３は、通常時である海賊出没海域外では、図２に仮想線で示すように、船体外板である船尾外板２ａに対面し沿うように垂下する待機姿勢（船尾外板２ａに対して成す角度０°で平行）とされ、海賊出没海域では、図１及び図２に実線で示すように、船尾外板２ａに対して角度を有し傾く海賊阻止姿勢とされる（詳しくは後述）。
【００１７】
駆動手段４は、船尾２の船縁２ｂに沿って延び邪魔板３の基端側を固定する回転軸４ａと、この回転軸４ａの各端部を回転自在に各々支持し船体１の上甲板５側に設けられた一対の軸受４ｂ，４ｂと、回転軸４ａの一端に固定された傘歯車４ｃと、この傘歯車４ｃと噛み合い、当該傘歯車４ｃの軸心と直交し水平方向に軸心を有する傘歯車４ｄと、この傘歯車４ｄをその出力軸４ｆの先端に備え船体１の上甲板５上に搭載された駆動源としての電動機４ｅと、を備える。
【００１８】
電動機４ｅは、出力軸４ｆが正逆回転するものであり、この電動機４ｅの回転駆動力は傘歯車４ｄに伝達され、これに噛み合う傘歯車４ｃにより回転方向が９０°変えられて回転軸４ａに伝達され、邪魔板３が回動する。
【００１９】
この邪魔板３は、電動機４ｅの正逆の回転駆動により、回転軸４ａの軸心（一軸）を支点として、待機姿勢である０°から、船尾外板２ａに対する９０°や４５°等の所定の傾斜角度（ＭＡＸ１８０°に近い角度）までを、上下方向に揺動可能な構成とされている。
【００２０】
そして、駆動手段４にあっては、一対の傘歯車４ｃ，４ｄを用いることで、電動機４ｅを、その出力軸４ｆが、船尾２の船縁２ｂに沿って延びる回転軸４ａに対して直交する水平方向を向くように配置できるようになっており、これにより、邪魔板３を、船尾２の船縁２ｂの広範囲に亘って設けることができるようになっている。
【００２１】
なお、ここでは、駆動源を電動機４ｅとしているが、例えば空圧、油圧等のアクチュエータであっても良い。
【００２２】
次に、このように構成された船舶への海賊侵入防止装置１００の作用について説明する。図３は、海賊侵入防止装置の動作説明図であり、図３（ａ）は、邪魔板の待機姿勢を示す図、図３（ｂ）は、邪魔板を船尾外板に対して傾ける海賊阻止姿勢を示す図である。
【００２３】
先ず、通常時である海賊出没海域外では、図３（ａ）に示すように、邪魔板３を船尾外板２ａに対面し沿うように垂下させた待機姿勢とする。
【００２４】
次いで、海賊出没海域に至ると、海賊対策として、図３（ｂ）に示すように、海賊が登り難くなるように、駆動手段４により邪魔板３を船尾外板２ａに対して所定角度回動させ、その状態で停止させてロックする海賊阻止姿勢とする。ここでは、邪魔板３を船尾外板２ａに対して４５°回動させているが、９０°（図１及び図２参照）や、海賊が登り難ければ他の角度であっても勿論良い。
【００２５】
そして、海賊出没海域外に出ると、駆動手段４により邪魔板３を下方に回動させ、図３（ａ）に示す待機姿勢に戻す。
【００２６】
なお、ここでは、海賊出没海域外において邪魔板３が邪魔にならない待機姿勢とするように、邪魔板３を回動可能に構成しているが、邪魔板３は、船尾外板２ａに対して傾いて固定された状態であっても良い。
【００２７】
このように、本実施形態においては、船舶の船側周りである船尾２に、船尾外板２ａに対して角度を成すように邪魔板３が設けられているため、当該邪魔板３により、ねずみ返しのように海賊が登り難くされ、侵入防止効果を高めることができる。
【００２８】
ここで、上記海賊出没海域での海賊対策をさらに効果的な海賊対策とすべく、海賊出没海域に至ると、駆動手段４により、邪魔板３を、０°（待機姿勢）〜例えば９０°や４５°等の所定の傾斜角度（図１、図２、図３（ｂ）参照）の範囲内で、上下方向に揺動させる海賊対策を採ることもできる。
【００２９】
この海賊対策によれば、邪魔板３が駆動手段４の駆動により上下方向にパタパタと揺動し、海賊の視覚に訴え襲撃を躊躇させ得るのに加えて、海賊が一層登り難くされると共に登って来ようとする海賊を振り落とすことができ、前述した傾いて停止状態の邪魔板３に比して、侵入防止効果を一層高めることができる。なお、駆動手段４は、邪魔板３が揺動し得るように回転軸４ｂに回転を与えられるものであれば、他の構成であっても勿論良い。因みに、ここで言う揺動とは、邪魔板３が、一軸を支点として、連続的又は断続的に上下動を繰り返すことを言う。
【００３０】
また、本実施形態によれば、以下の効果もある。すなわち、海賊は船舶の後方より忍び寄り船尾２から登って来ることが多いが、上記何れの海賊対策であっても船尾２に邪魔板３が設けられていることから、その侵入防止効果は高いものとなっている。
【００３１】
以上、本発明をその実施形態に基づき具体的に説明したが、本発明は上記実施形態に限定されるものではなく、例えば、上記実施形態においては、特に効果的であるとして、邪魔板３を船尾２に設けているが、船尾、中間部、船首を含む船側周りに設けることができる。従って、邪魔板３は、広義において、船舶の船側周りに、船体外板に対して角度を成すように設けられる。
【符号の説明】
【００３２】
１…船体、２…船尾、２ａ…船尾外板（船体外板）、２ｂ…船尾船縁（船縁）、３…邪魔板、４…駆動手段、４ａ…回転軸、４ｅ…電動機、１００…船舶への海賊侵入防止装置。
【図１】
2014040203.tif 000003
【図２】
2014040203.tif 000004
【図３】
2014040203.tif 000005